(57)【要約】【課題】物理層及びデータリンク層において、直接クロックの抽出あるいは、タイミングマーカの送受信を可能にする。【解決手段】本発明は、受信した信号からクロックを抽出する手段と、受信したフレームの送信元アドレスとマスタ局のアドレスが一致したときに、当該フレームを受信している間は、ホールドオーヴァ制御信号をオフに、それ以外のときは、ホールドオーヴァ制御信号をオンにする手段と、スレーブ局における基準発振器の周波数は、ホールドオーヴァ制御信号がオフになっているときには、抽出されたクロック信号に同期し、当該ホールドオーヴァ制御信号がオンになっているときには、ホールドオーヴァで動作する。【選択図】      図１
2004320656.tif 000002
【特許請求の範囲】
【請求項１】
無線通信システムにより、少なくとも１台のマスタ局と、少なくとも１台のスレーブ局との間で信号の送受信を行い、周波数同期をとるための周波数同期システムであって、
前記スレーブ局は、
自局内の各ブロックに基準クロックを供給する基準発振器と、
前記マスタ局から受信した信号からクロックを抽出する受信クロック抽出手段と、
前記マスタ局から受信した前記信号のフレームの送信元アドレスと該マスタ局のアドレスが一致した時に、該フレームを受信している間は、ホールドオーヴァ制御信号をオフに、それ以外の時は、ホールドオーヴァ制御信号をオンにするホールドオーヴァ制御手段と、を有し、
ホールドオヴァ制御手段は
当該スレーブ局における前記基準発振器の周波数が、前記ホールドオーヴァ制御信号がオフになっている時には、前記受信クロック抽出手段により抽出されたクロック信号に同期し、該ホールドオーヴァ制御信号がオンになっている時には、ホールドオーヴァで動作することを特徴とする周波数同期システム。
【請求項２】
無線通信システムにより、少なくとも１台のマスタ局と、少なくとも１台のスレーブ局との間で信号の送受信を行い、時刻同期をとるための時刻同期システムであって、
前記マスタ局は、
局内の各ブロックに基準クロックを供給する第１の基準発振器と、
前記基準発振器の出力から基準タイミングマーカ信号を発生させる第１のタイミングマーカ発生手段と、
自局が、データ送信状態ではなく、かつ媒体がアイドルである時に、タイミングマーカ用フレームを前記スレーブ局に送信すると共に、送信タイミングマーカ信号を出力し、前記スレーブ局からのタイミングマーカ用フレームを受信すると、受信タイミングマーカ信号を出力する第１のタイミングマーカ送受信手段と、
前記基準タイミングマーカ信号に対する送信タイミングマーカ信号の遅延Ｔ１を測定し、前記スレーブ局に送信する第１の送信タイミングマーカ遅延測定手段と、
前記基準タイミングマーカ信号に対する受信タイミングマーカ信号の遅延Ｔ２を測定し、前記スレーブ局に送信する第１の受信タイミングマーカ遅延測定手段と、を有し、
前記スレーブ局は、
局内の各ブロックに基準クロックを供給する第２の基準発振器と、
前記基準発振器の出力から基準タイミングマーカ信号を発生させる第２のタイミングマーカ発生手段と、
自局が、データ送信状態ではなく、かつ、媒体がアイドルである時に、タイミングマーカ用フレームを前記マスタ局に送信すると共に、送信タイミングマーカ信号を出力し、前記マスタ局からの前記タイミングマーカ用フレームを受信すると、受信タイミングマーカ信号を出力する第２のタイミングマーカ送受信手段と、
前記基準タイミングマーカ信号に対する送信タイミングマーカ信号の遅延Ｔ３を測定する第２の送信タイミングマーカ遅延測定手段と、
前記基準タイミングマーカ信号に対応する受信タイミングマーカ信号の遅延Ｔ４を測定する第２の受信タイミングマーカ遅延測定手段と、
前記マスタ局から送信された前記送信タイミングマーカ信号の遅延Ｔ１と、該マスタ局から送信された前記受信タイミングマーカ信号の遅延Ｔ２と、自局の前記第２の送信タイミングマーカ遅延測定手段で測定された前記送信タイミングマーカ信号の遅延Ｔ３と、自局の前記第２の受信タイミングマーカ遅延測定手段で測定された前記受信タイミングマーカ信号の遅延Ｔ４に基づいて、該マスタ局の基準タイミングマーカ信号と、自局の基準タイミングマーカ信号の時刻差を計算し、時刻差が０になるように制御する時刻同期制御手段と、を有することを特徴とする時刻同期システム。
【請求項３】
前記スレーブ局は、
前記マスタ局から受信した信号からクロックを抽出する受信クロック抽出手段と、
前記マスタ局から受信したフレームの送信元アドレスと該マスタ局のアドレスが一致したときに該フレームを受信している間は、ホールドオーヴァ制御信号をオフに、それ以外の時は、ホールドオーヴァ制御信号をオンにするホールドオーヴァ制御手段と、を更に有し、
前記スレーブ局の前記基準発振器の周波数は、前記ホールドオーヴァ制御信号がオフになっている時には、前記受信クロック抽出手段により抽出されたクロック信号に同期し、該ホールドオーヴァ制御信号がオンになっている時には、ホールドオーヴァで動作する請求項２記載の時刻同期システム。
【請求項４】
無線通信システムにより、少なくとも１台のスレーブ局との間で信号の送受信を行い、時刻同期をとるための時刻同期システムにおけるマスタ局であって、
局内の各ブロックに基準クロックを供給する基準発振器と、
前記基準発振器の出力から基準タイミングマーカ信号を発生させるタイミングマーカ発生手段と、
データ送信状態ではなく、かつ媒体がアイドルである時に、タイミングマーカ用フレームをスレーブ局に送信すると共に、送信タイミングマーカ信号を出力し、該スレーブ局からのタイミングマーカ用フレームを受信すると、受信タイミングマーカ信号を出力するタイミングマーカ送受信手段と、
前記基準タイミングマーカ信号に対する送信タイミングマーカ信号の遅延Ｔ１を測定し、前記スレーブ局に送信する送信タイミングマーカ遅延測定手段と、
前記基準タイミングマーカ信号に対する受信タイミングマーカ信号の遅延Ｔ２を測定し、前記スレーブ局に送信する受信タイミングマーカ遅延測定手段と、を有することを特徴とするマスタ局。
【請求項５】
無線通信システムにより、少なくとも１台のマスタ局との間で信号の送受信を行い、周波数同期をとるための周波数同期システムにおける、スレーブ局であって、
局内の各ブロックに基準クロックを供給する基準発振器と、
マスタ局から受信した信号からクロックを抽出する受信クロック抽出手段と、
前記マスタ局から受信した信号のフレームの送信元アドレスと前記マスタ局のアドレスが一致した時に、該フレームを受信している間は、ホールドオーヴァ制御信号をオフに、それ以外の時は、ホールドオーヴァ制御信号をオンにするホールドオーヴァ制御手段と、を有し、
前記基準発振器の周波数は、
前記ホールドオーヴァ制御信号がオフになっているときには、前記受信クロック抽出手段により抽出されたクロック信号に同期し、該ホールドオーヴァ制御信号がオンになっている時には、ホールドオーヴァで動作することを特徴とするスレーブ局。
【請求項６】
無線通信システムにより、少なくとも１台のマスタ局との間で信号の送受信を行い、時刻同期をとるための時刻同期システムにおける、スレーブ局であって、
局内の各ブロックに基準クロックを供給する基準発振器と、
前記基準発振器の出力から基準タイミングマーカ信号を発生させるタイミングマーカ発生手段と、
データ送信状態ではなく、かつ、媒体がアイドルである時に、タイミングマーカ用フレームを送信すると共に、送信タイミングマーカ信号を出力し、マスタ局からのタイミングマーカ用フレームを受信すると、受信タイミングマーカ信号を出力するタイミングマーカ送受信手段と、
前記基準タイミングマーカ信号に対する送信タイミングマーカ信号の遅延Ｔ３を測定する送信タイミングマーカ遅延測定手段と、
前記基準タイミングマーカ信号に対応する受信タイミングマーカ信号の遅延Ｔ４を測定する受信タイミングマーカ遅延測定手段と、
前記マスタ局で測定された送信タイミングマーカ信号の遅延Ｔ１と、受信タイミングマーカ信号の遅延Ｔ２を受信し、前記送信タイミングマーカ遅延測定手段で測定した前記送信タイミングマーカ信号の遅延Ｔ３と、前記受信タイミングマーカ遅延測定手段で測定された前記受信タイミングマーカ信号の遅延Ｔ４に基づいて、該マスタ局の基準タイミングマーカ信号と、自局の前記基準タイミングマーカ信号の時刻差を計算し、時刻差が０になるように制御する制御手段と、を有することを特徴とするスレーブ局。
【請求項７】
前記マスタ局から受信した信号からクロック信号を抽出する受信クロック抽出手段と、
前記マスタ局から受信したフレームの送信元アドレスと該マスタ局のアドレスが一致したときに、該フレームを受信している間は、ホールドオーヴァ制御信号をオンにするホールドオーヴァ制御手段を更に有し、
前記ホールドオーヴァ制御手段は、
自局における前記基準発振器の周波数は、前記ホールドオーヴァ制御信号がオフになっている時には、前記受信クロック抽出手段により抽出された前記クロック信号に同期し、該ホールドオーヴァ制御信号がオンになっている時には、ホールドオーヴァで動作する請求項６記載のスレーブ局。
【請求項８】
無線通信システムにより、マスタ局とスレーブ局との間で信号の送受信を行い、周波数同期をとるための周波数同期方法において、
前記スレーブ局において、前記マスタ局から受信した信号からクロックを抽出し、
前記マスタ局から受信した前記信号のフレームの送信元アドレスと該マスタ局のアドレスが一致した時に、該フレームを受信している間は、ホールドオーヴァ制御信号をオフに、それ以外の時は、ホールドオーヴァ制御信号をオンにし、
当該スレーブ局内の各ブロックに基準クロックを供給する基準発振器の周波数が、前記ホールドオーヴァ制御信号がオフになっている時には、前記受信クロック抽出手段により抽出されたクロック信号に同期し、該ホールドオーヴァ制御信号がオンになっている時には、ホールドオーヴァで動作することを特徴とする周波数同期方法。
【請求項９】
無線通信システムにより、マスタ局とスレーブ局との間で信号の送受信を行い、時刻同期をとるための時刻同期方法において、
前記マスタ局及び前記スレーブ局において、
局内の各ブロックに基準クロックを供給し、
前記マスタ局において、
前記基準発振器の出力から基準タイミングマーカ信号を発生させ、
自局が、データ送信状態ではなく、かつ媒体がアイドルである時に、タイミングマーカ用フレームを前記スレーブ局に送信すると共に、送信タイミングマーカ信号を出力し、
前記スレーブ局において、
前記基準発振器の出力から基準タイミング信号を発生させ、
自局が、データ送信状態ではなく、かつ、媒体がアイドルである時に、タイミングマーカ用フレームを前記マスタ局に送信すると共に、送信タイミングマーカ信号を出力し、
前記マスタ局において、
前記スレーブ局からの前記タイミングマーカ用フレームを受信すると、受信タイミングマーカ信号を出力し、
前記基準タイミングマーカ信号に対する送信タイミングマーカ信号の遅延Ｔ１を測定し、前記スレーブ局に送信し、
前記スレーブ局において、
前記マスタ局からの前記タイミングマーカ用フレームを受信すると、受信タイミングマーカ信号を出力し、
前記マスタ局において、
前記基準タイミングマーカ信号に対する受信タイミングマーカ信号の遅延Ｔ２を測定し、前記スレーブ局に送信し、
前記スレーブ局において、
前記マスタ局からの前記タイミングマーカ用フレームを受信すると、受信タイミングマーカ信号を出力し、
前記基準タイミングマーカ信号に対する送信タイミングマーカ信号の遅延Ｔ３を測定し、
前記基準タイミングマーカ信号に対応する受信タイミングマーカ信号の遅延Ｔ４を測定し、
前記マスタ局から送信された前記送信タイミングマーカ信号の遅延Ｔ１と、該マスタ局から送信された前記受信タイミングマーカ信号の遅延Ｔ２と、自局の前記送信タイミングマーカ信号の遅延Ｔ３と、自局の前記受信タイミングマーカ信号の遅延Ｔ４に基づいて、該マスタ局の基準タイミングマーカ信号と、自局の基準タイミングマーカ信号の時刻差を計算し、時刻差が０になるように制御することを特徴とする時刻同期方法。
【請求項１０】
前記スレーブ局において、
前記マスタ局から受信した信号からクロックを抽出し、
前記マスタ局から受信した前記信号のフレームの送信元アドレスと該マスタ局のアドレスが一致したときに該フレームを受信している間は、ホールドオーヴァ制御信号をオフに、それ以外の時は、ホールドオーヴァ制御信号をオンにし、
前記スレーブ局の前記基準発振器の周波数は、前記ホールドオーヴァ制御信号がオフになっている時には、抽出された前記クロック信号に同期し、該ホールドオーヴァ制御信号がオンになっている時には、ホールドオーヴァで動作するよう制御する請求項９記載の時刻同期方法。
【発明の詳細な説明】
【０００１】
【発明の属する技術分野】
本発明は、周波数同期システム及び時刻同期システム及び、周波数同期方法及び時刻同期方法及びマスタ局及びスレーブ局に係り、特に、無線通信システムを用いたクロック周波数分配や、時刻同期を用いたネットワーク・セキュリティなどに用いる、周波数同期システム及び時刻同期システム及び、周波数同期方法及び時刻同期方法及びマスタ局及びスレーブ局に関する。
【０００２】
【従来の技術】
従来、有線ＬＡＮ及び、無線ＬＡＮを介して、周波数・時刻同期をとる技術としては、ネットワーク・タイム・プロトコル（ＮＴＰ）が広く用いられている（例えば、非特許文献１参照）。
【０００３】
【非特許文献１】
ＲＦＣ１３０５  Ｎｅｔｗｏｒｋ  Ｔｉｍｅ  Ｐｒｏｔｏｃｏｌ  「ｈｔｔｐ：／／ｗｗｗ．ｆａｑｓ．ｏｒｇ／ｒｆｃｓ／ｒｆｃ１３０５．ｈｔｍｌ」
【０００４】
【発明が解決しようとする課題】
しかしながら、上記従来のＮＴＰは、トランスポート層より上の上位層を用いているので、下位レイヤ（物理層、データリンク層）における誤差を正確に評価することは簡単ではなく、高い同期精度を得ることは困難である。
【０００５】
本発明は、上記の点に鑑みなされたもので、無線通信システムの物理層、及びデータリンク層における遅延を測定し、高い同期精度を得ることが可能な周波数同期システム及び時刻同期システム及び、周波数同期方法及び時刻同期方法及びマスタ局及びスレーブ局を提供することを目的とする。
【０００６】
【課題を解決するための手段】
図１は、本発明の原理を説明するための図である。
【０００７】
本発明は、無線通信システムにより、少なくとも１台のマスタ局１００と、少なくとも１台のスレーブ局２００との間で信号の送受信を行い、周波数同期をとるための周波数同期システムであって、
スレーブ局２００は、
自局内の各ブロックに基準クロックを供給する基準発振器２０１と、
マスタ局１００から受信した信号からクロックを抽出する受信クロック抽出手段２１３と、
マスタ局１００から受信した信号のフレームの送信元アドレスと該マスタ局１００のアドレスが一致した時に、該フレームを受信している間は、ホールドオーヴァ制御信号をオフに、それ以外の時は、ホールドオーヴァ制御信号をオンにするホールドオーヴァ制御手段２３０と、を有し、
ホールドオヴァ制御手段２３０は
当該スレーブ局２００における基準発振器の周波数が、ホールドオーヴァ制御信号がオフになっている時には、受信クロック抽出手段２１３により抽出されたクロック信号に同期し、該ホールドオーヴァ制御信号がオンになっている時には、ホールドオーヴァで動作する。
【０００８】
本発明は、無線通信システムにより、少なくとも１台のマスタ局と、少なくとも１台のスレーブ局との間で信号の送受信を行い、時刻同期をとるための時刻同期システムであって、
マスタ局は、
局内の各ブロックに基準クロックを供給する第１の基準発振器と、
基準発振器の出力から基準タイミングマーカ信号を発生させる第１のタイミングマーカ発生手段と、
自局が、データ送信状態ではなく、かつ媒体がアイドルである時に、タイミングマーカ用フレームをスレーブ局に送信すると共に、送信タイミングマーカ信号を出力し、スレーブ局からのタイミングマーカ用フレームを受信すると、受信タイミングマーカ信号を出力する第１のタイミングマーカ送受信手段と、
基準タイミングマーカ信号に対する送信タイミングマーカ信号の遅延Ｔ１を測定し、スレーブ局に送信する第１の送信タイミングマーカ遅延測定手段と、
基準タイミングマーカ信号に対する受信タイミングマーカ信号の遅延Ｔ２を測定し、スレーブ局に送信する第１の受信タイミングマーカ遅延測定手段と、を有し、
スレーブ局は、
局内の各ブロックに基準クロックを供給する第２の基準発振器と、
基準発振器の出力から基準タイミングマーカ信号を発生させる第２のタイミングマーカ発生手段と、
自局が、データ送信状態ではなく、かつ、媒体がアイドルである時に、タイミングマーカ用フレームをマスタ局に送信すると共に、送信タイミングマーカ信号を出力し、マスタ局からのタイミングマーカ用フレームを受信すると、受信タイミングマーカ信号を出力する第２のタイミングマーカ送受信手段と、
基準タイミングマーカ信号に対する送信タイミングマーカ信号の遅延Ｔ３を測定する第２の送信タイミングマーカ遅延測定手段と、
基準タイミングマーカ信号に対応する受信タイミングマーカ信号の遅延Ｔ４を測定する第２の受信タイミングマーカ遅延測定手段と、
マスタ局から送信された送信タイミングマーカ信号の遅延Ｔ１と、該マスタ局から送信された受信タイミングマーカ信号の遅延Ｔ２と、自局の第２の送信タイミングマーカ遅延測定手段で測定された送信タイミングマーカ信号の遅延Ｔ３と、自局の第２の受信タイミングマーカ遅延測定手段で測定された受信タイミングマーカ信号の遅延Ｔ４に基づいて、該マスタ局の基準タイミングマーカ信号と、自局の基準タイミングマーカ信号の時刻差を計算し、時刻差が０になるように制御する時刻同期制御手段と、を有する。
【０００９】
また、上記のスレーブ局は、
マスタ局から受信した信号からクロックを抽出する受信クロック抽出手段と、
マスタ局から受信したフレームの送信元アドレスと該マスタ局のアドレスが一致したときに該フレームを受信している間は、ホールドオーヴァ制御信号をオフに、それ以外の時は、ホールドオーヴァ制御信号をオンにするホールドオーヴァ制御手段と、を更に有し、
スレーブ局の基準発振器の周波数は、ホールドオーヴァ制御信号がオフになっている時には、受信クロック抽出手段により抽出されたクロック信号に同期し、該ホールドオーヴァ制御信号がオンになっている時には、ホールドオーヴァで動作する。
【００１０】
本発明は、無線通信システムにより、少なくとも１台のスレーブ局との間で信号の送受信を行い、時刻同期をとるための時刻同期システムにおけるマスタ局であって、
局内の各ブロックに基準クロックを供給する基準発振器と、
基準発振器の出力から基準タイミングマーカ信号を発生させるタイミングマーカ発生手段と、
データ送信状態ではなく、かつ媒体がアイドルである時に、タイミングマーカ用フレームをスレーブ局に送信すると共に、送信タイミングマーカ信号を出力し、該スレーブ局からのタイミングマーカ用フレームを受信すると、受信タイミングマーカ信号を出力するタイミングマーカ送受信手段と、
基準タイミングマーカ信号に対する送信タイミングマーカ信号の遅延Ｔ１を測定し、スレーブ局に送信する送信タイミングマーカ遅延測定手段と、
基準タイミングマーカ信号に対する受信タイミングマーカ信号の遅延Ｔ２を測定し、スレーブ局に送信する受信タイミングマーカ遅延測定手段と、を有する。
本発明は、無線通信システムにより、少なくとも１台のマスタ局との間で信号の送受信を行い、周波数同期をとるための周波数同期システムにおける、スレーブ局であって、
局内の各ブロックに基準クロックを供給する基準発振器と、
マスタ局から受信した信号からクロックを抽出する受信クロック抽出手段と、
マスタ局から受信した信号のフレームの送信元アドレスとマスタ局のアドレスが一致した時に、該フレームを受信している間は、ホールドオーヴァ制御信号をオフに、それ以外の時は、ホールドオーヴァ制御信号をオンにするホールドオーヴァ制御手段と、を有し、
基準発振器の周波数が、
ホールドオーヴァ制御信号がオフになっているときには、受信クロック抽出手段により抽出されたクロック信号に同期し、該ホールドオーヴァ制御信号がオンになっている時には、ホールドオーヴァで動作する。
【００１１】
本発明は、無線通信システムにより、少なくとも１台のマスタ局との間で信号の送受信を行い、時刻同期をとるための時刻同期システムにおける、スレーブ局であって、
局内の各ブロックに基準クロックを供給する基準発振器と、
基準発振器の出力から基準タイミングマーカ信号を発生させるタイミングマーカ発生手段と、
データ送信状態ではなく、かつ、媒体がアイドルである時に、タイミングマーカ用フレームを送信すると共に、送信タイミングマーカ信号を出力し、マスタ局からのタイミングマーカ用フレームを受信すると、受信タイミングマーカ信号を出力するタイミングマーカ送受信手段と、
基準タイミングマーカ信号に対する送信タイミングマーカ信号の遅延Ｔ３を測定する送信タイミングマーカ遅延測定手段と、
基準タイミングマーカ信号に対応する受信タイミングマーカ信号の遅延Ｔ４を測定する受信タイミングマーカ遅延測定手段と、
マスタ局で測定された送信タイミングマーカ信号の遅延Ｔ１と、受信タイミングマーカ信号の遅延Ｔ２を受信し、送信タイミングマーカ遅延測定手段で測定した送信タイミングマーカ信号の遅延Ｔ３と、受信タイミングマーカ遅延測定手段で測定された受信タイミングマーカ信号の遅延Ｔ４に基づいて、該マスタ局の基準タイミングマーカ信号と、自局の基準タイミングマーカ信号の時刻差を計算し、時刻差が０になるように制御する制御手段と、を有する。
【００１２】
本発明は、マスタ局から受信した信号からクロック信号を抽出する受信クロック抽出手段と、
マスタ局から受信したフレームの送信元アドレスと該マスタ局のアドレスが一致したときに、該フレームを受信している間は、ホールドオーヴァ制御信号をオンにするホールドオーヴァ制御手段を更に有し、
ホールドオーヴァ制御手段は、
自局における基準発振器の周波数は、ホールドオーヴァ制御信号がオフになっている時には、受信クロック抽出手段により抽出されたクロック信号に同期し、該ホールドオーヴァ制御信号がオンになっている時には、ホールドオーヴァで動作する。
【００１３】
図２は、本発明の原理を説明するための図である。
【００１４】
本発明は、無線通信システムにより、マスタ局とスレーブ局との間で信号の送受信を行い、周波数同期をとるための周波数同期方法において、
スレーブ局において、マスタ局から受信した信号からクロックを抽出し（ステップ１）、
マスタ局から受信した信号のフレームの送信元アドレスと該マスタ局のアドレスが一致した時に（ステップ２）、該フレームを受信している間は（ステップ３）、ホールドオーヴァ制御信号をオフに（ステップ４）、それ以外の時は、ホールドオーヴァ制御信号をオンにし（ステップ５）、
当該スレーブ局内の各ブロックに基準クロックを供給する基準発振器の周波数が、ホールドオーヴァ制御信号がオフになっている時には、受信クロック抽出手段により抽出されたクロック信号に同期し、該ホールドオーヴァ制御信号がオンになっている時には、ホールドオーヴァで動作する。
【００１５】
本発明は、無線通信システムにより、マスタ局とスレーブ局との間で信号の送受信を行い、時刻同期をとるための時刻同期方法において、
マスタ局及びスレーブ局において、
局内の各ブロックに基準クロックを供給し、
マスタ局において、
基準発振器の出力から基準タイミングマーカ信号を発生させ、
自局が、データ送信状態ではなく、かつ媒体がアイドルである時に、タイミングマーカ用フレームをスレーブ局に送信すると共に、送信タイミングマーカ信号を出力し、
スレーブ局において、
基準発振器の出力から基準タイミング信号を発生させ、
自局が、データ送信状態ではなく、かつ、媒体がアイドルである時に、タイミングマーカ用フレームをマスタ局に送信すると共に、送信タイミングマーカ信号を出力し、
マスタ局において、
スレーブ局からのタイミングマーカ用フレームを受信すると、受信タイミングマーカ信号を出力し、
基準タイミングマーカ信号に対する送信タイミングマーカ信号の遅延Ｔ１を測定し、スレーブ局に送信し、
スレーブ局において、
マスタ局からのタイミングマーカ用フレームを受信すると、受信タイミングマーカ信号を出力し、
マスタ局において、
基準タイミングマーカ信号に対する受信タイミングマーカ信号の遅延Ｔ２を測定し、スレーブ局に送信し、
スレーブ局において、
マスタ局からのタイミングマーカ用フレームを受信すると、受信タイミングマーカ信号を出力し、
基準タイミングマーカ信号に対する送信タイミングマーカ信号の遅延Ｔ３を測定し、
基準タイミングマーカ信号に対応する受信タイミングマーカ信号の遅延Ｔ４を測定し、
マスタ局から送信された送信タイミングマーカ信号の遅延Ｔ１と、該マスタ局から送信された受信タイミングマーカ信号の遅延Ｔ２と、自局の送信タイミングマーカ信号の遅延Ｔ３と、自局の受信タイミングマーカ信号の遅延Ｔ４に基づいて、該マスタ局の基準タイミングマーカ信号と、自局の基準タイミングマーカ信号の時刻差を計算し、時刻差が０になるように制御する。
【００１６】
また、本発明は、スレーブ局において、
マスタ局から受信した信号からクロックを抽出し、
マスタ局から受信した信号のフレームの送信元アドレスと該マスタ局のアドレスが一致したときに該フレームを受信している間は、ホールドオーヴァ制御信号をオフに、それ以外の時は、ホールドオーヴァ制御信号をオンにし、
スレーブ局の基準発振器の周波数は、ホールドオーヴァ制御信号がオフになっている時には、抽出されたクロック信号に同期し、該ホールドオーヴァ制御信号がオンになっている時には、ホールドオーヴァで動作するよう制御する。
【００１７】
上記のように、本発明では、クロック周波数や時刻同期により、物理層およびデータリンク層において直接クロックの抽出あるいは、タイミングマーカの送受信を行うことが可能となる。
【００１８】
【発明の実施の形態】
以下、図面と共に、本発明の実施の形態を説明する。
【００１９】
［第１の実施の形態］
図３は、本発明の第１の実施の形態における周波数同期システムの構成を示す。同図に示す周波数同期システムは、マスタ局１００とスレーブ局２００から構成される。
【００２０】
マスタ局１００は、基準発振器１０１、媒体アクセス制御装置１０３、タイミングマーカ１０４、ベースバンド処理回路１０５、変復調回路１０６、高周波送受信回路１０７、送受信切替スイッチ１０８、アンテナ１０９から構成される。
【００２１】
スレーブ局２００は、基準発振器２０１、媒体アクセス制御回路２０３、タイミングマーカ送受信回路２０４、ベースバンド処理回路２０５、変復調回路２０６、高周波送受信回路２０７、送受信切替スイッチ２０８、アンテナ２０９、クロック抽出回路２１３、送信元アドレス監視回路２１４から構成される。
【００２２】
図５を用いて、以下に動作を説明する。
【００２３】
マスタ局１００の基準発振器１０１は、局内の各ブロック（ベースバンド処理回路１０５，変復調回路１０６，高周波送受信回路１０７）に基準クロック（ＲＥＦＣＬＫ）を供給する。
【００２４】
媒体アクセス制御回路１０３からの送信フレーム（ＴＸＤ）は、ベースバンド処理回路１０５によって、ベースバンド信号（ＴＸＩ，ＴＸＱ）に変換され、変復調回路１０６によって中間周波数信号（ＴＸＩＦ）になり、高周波送受信回路１０７によって、高周波信号（ＴＸＲＦ）になり、送受信切替スイッチ１０８により、アンテナ１０９に接続され、スレーブ局２００に送信される。
【００２５】
スレーブ局２００の基準発振器２０１は、局内の各ブロック（ベースバンド処理回路２０５，変復調回路２０６，高周波送受信回路２０７）に基準クロック（ＲＥＦＣＬＫ）を供給する。アンテナ２０９によって受信されたマスタ局２００からの高周波信号（ＲＸＲＦ）は、送受信切替スイッチ２０８によって、高周波送受信回路２０７に接続され、中間周波信号（ＲＸＩＦ）になり、変復調回路２０６によってベースバンド信号（ＲＸＩ，ＲＸＱ）になり、ベースバンド信号処理回路２０５によって、受信フレーム（ＲＸＤ）となり、媒体アクセス制御回路２０３によって受信される（ステップ１０１）。受信クロック抽出回路２１３は、ベースバンド信号（ＲＸＩ，ＲＸＱ）から受信クロック（ＲＸＣＬＫ）を抽出する。送信元アドレス監視回路２１４は、受信フレーム（ＲＸＤ）の送信元アドレスがマスタ局１００のアドレスと一致した時は（ステップ１０２）その受信フレームを受信している間は、ホールドオーヴァ制御信号（ＨＯ）をＯＦＦに（ステップ１０３）、それ以外の時は、ＯＮにする（ステップ１０４）。
【００２６】
次に、スレーブ局２００における基準発振器２０１について説明する。
【００２７】
図５（Ａ）は、本発明の第１の実施の形態におけるスレーブ局の基準発振器の構成を示す。
【００２８】
基準発振器２０１は、スイッチ２１５、入力断検出回路２１６、位相比較回路２１７、ループフィルタ２１８、ＡＤ変換器２１９、メモリ２２０、ＤＡ変換器２２１、切替スイッチ２２２、電圧制御発振器２２３、分周回路２２４から構成される。
【００２９】
位相比較回路２１７は、受信クロック（ＲＸＣＬＫ）と、電圧制御発振器２２３の出力を分周回路２２４で分周したクロックとの位相差を出力する。
【００３０】
ループフィルタ２１８は、位相差を積分し、制御電圧を発生させる。制御電圧は、ＡＤ変換器２１９によって逐次ディジタル値に変換され、メモリ２２０に記録される。
【００３１】
スレーブ局２００が、マスタ局１００からのフレームを受信しているとき、切替スイッチ２２２により、ループフィルタ２１８の出力は、電圧制御発振器２２３に接続され、スレーブ局２００の基準発振器２０１の周波数は、マスタ局１００の基準発振気１０１の周波数に同期される。
【００３２】
スレーブ局２００が他の局からのフレームを受信していない時は、受信クロック抽出回路２１３からの受信クロック（ＲＸＣＬＫ）は無く、入力断検出回路２１６の出力は、ＯＮになる。
【００３３】
この時、メモリ２２０に記録された制御値は読み出され、ＤＡ変換機２２１によってアナログ電圧に変換され、切替スイッチ２２２によって電圧制御発振器２２３に接続される。この状態は、ホールドオーヴァと呼ばれる。
【００３４】
スレーブ局２００がマスタ局１００以外の局からフレームを受信している場合は、送信元アドレス監視回路２１４は、ホールドオーヴァ制御信号（ＨＯ）をＯＮにする。このとき、スイッチ２１５が作動して受信クロック（ＲＸＣＬＫ）を強制的に断にし、入力断検出回路２１６が作動してホールドオーヴァ状態になる。
【００３５】
また、図５（Ｂ）に、別のスレーブ局２００の基準発振器２０１の構成を示す。図５（Ｂ）に示す基準発振器２０１は、スイッチ２１５、入力断検出回路２１６、位相比較回路２１７、ループフィルタ２１８、ＡＤ変換器２１９、メモリ２２０、ＤＡ変換器２２１、切替スイッチ２２２、電圧制御発振器２２３、分周回路２２４から構成される。
【００３６】
スレーブ局２００がマスタ局１００以外の局からのフレームを受信している場合は、送信元アドレス監視装置２１４は、ホールドオーヴァ制御信号（ＨＯ）をＯＮにする。この時、ＯＲ回路２２５の出力もＯＮになって切替スイッチ２２２を切り替え、ホールドオーヴァ状態にする。
【００３７】
［第２の実施の形態］
図６は、本発明の第２の実施の形態における時刻同期システムの構成を示す。同図に示すシステムは、マスタ局１００とスレーブ局２００から構成される。
【００３８】
マスタ局１００は、基準発振器１０１、分周回路１０２、媒体アクセス制御回路１０３、タイミングマーカ送受信回路１０４、ベースバンド処理回路１０５、変復調回路１０６、高周波送受信回路１０７、送受信切替スイッチ１０８、アンテナ１０９、位相差測定回路１１０，１１１、時刻同期制御部１１２から構成される。
【００３９】
スレーブ局２００は、基準発振器２０１、分周回路２０２、媒体アクセス制御回路２０３、タイミングマーカ送受信回路２０４、ベースバンド処理回路２０５、変復調回路２０６、高周波送受信回路２０７、送受信切替スイッチ２０８、アンテナ２０９、位相差測定回路２１０，２１１、時刻同期制御回路２１２から構成される。
【００４０】
図７から図９は、本発明の第２の実施の形態における時刻同期システムの動作のシーケンスチャートである。
【００４１】
マスタ局１００の基準発振器１０１は、当該マスタ局１００の各ブロック（タイミングマーカ送受信回路１０４、ベースバンド処理回路１０５、変復調回路１０６、高周波送受信回路１０７、分周回路１０２）に基準クロック（ＲＥＦＣＬＫ）を供給する（ステップ２０１）。媒体アクセス制御回路１０３からの送信フレーム（ＴＸＤ）は、タイミングマーカ送受信回路１０４を通って、ベースバンド処理回路１０５によって、ベースバンド信号（ＴＸＩ、ＴＸＱ）に変換され、変復調回路１０６によって中間周波信号（ＴＸＩＦ）になり、高周波送受信回路１０７によって、高周波信号（ＴＸＲＦ）になり（ステップ２０２）、送受信切替スイッチ１０８によって、アンテナ１０９に接続され、スレーブ局２００に送信される（ステップ２０３）。
【００４２】
スレーブ局２００の基準発振器２０１は、当該スレーブ局２００の各ブロック（タイミングマーカ送受信回路２０４、ベースバンド処理回路２０５、変復調回路２０６、高周波送受信回路２０７、分周回路２０２）に基準クロック（ＲＥＦＣＬＫ）を供給する。アンテナ２０９によって受信されたマスタ局１００からの高周波信号（ＲＸＲＦ）は、送受信切替スイッチ２０８によって、高周波送受信回路２０７に接続され、中間周波信号（ＲＸＩＦ）になり、変復調回路２０６によって、ベースバンド信号（ＲＸＩ、ＲＸＱ）になり、ベースバンド信号処理回路２０５によって受信フレーム（ＲＸＤ）となり、タイミングフレーム送受信回路２０４を通って、媒体アクセス制御回路２０３によって受信される（ステップ２０９）。
【００４３】
マスタ局１００における基準発振器１０１の基準クロック（ＲＥＦＣＬＫ）は、分周回路１０２により、分周され、分周されたクロックの位相に同期した基準タイミングマーカ（ＲＥＦＴＭ）が出力される（ステップ２０４）。基準タイミングマーカ（ＲＥＦＴＭ）を入力されたタイミングマーカ送受信回路１０４は、現在マスタ局１００がフレームを送信している状態ではなく、ベースバンド処理回路１０５からの搬送波感知信号（ＣＣＡ）がアイドルで、ネットワーク・アロケーション・ベクトル（ＮＡＶ）が０ならば、媒体がアイドルであると判定し（ステップ２０５）、ベースバンド処理回路１０５にタイミングマーカ用フレームを送信し（ステップ２０６）、これと同時に位相差測定回路１１０に送信タイミングマーカ（ＴＸＴＭ）を出力する（ステップ２０７）。タイミングマーカ用フレームを送信しているとき、タイミングマーカ送受信回路１０４から出力する搬送波感知信号（ＣＣＡ）をビジーにして、媒体アクセス制御回路１０３から他のフレームが送信されないようにする（ステップ２０８）。
【００４４】
タイミングマーカ用フレームは、ヘッダのフレーム・コントロール・フィールドの中のタイプ／サブタイプ・フィールドによって識別する。ＩＥＥＥ８０２．１１における既存のマネージメント・フレームやコントロール・フレームやデータ・フレームと重複しないタイプ／サブタイプとしては、
タイプ＝００、サブタイプ＝１１０１〜１１１
タイプ＝０１、サブタイプ＝００００〜１００１
タイプ＝１０、サブタイプ＝１０００〜１１１１
タイプ＝１１、サブタイプ＝００００〜１１１１
があるので、この中のどれか１つ（例えば、タイプ＝１０、サブタイプ＝１１１）をタイミングマーカ用フレームに割り当てる。
【００４５】
スレーブ局２００のタイミングマーカ送受信回路２０４は、受信フレーム（ＲＸＤ）のヘッダをモニタする（ステップ２１０）。タイプ／サブタイプ・フィールドが通常のマネージメント・フレームやコントロール・フレームやデータ・フレームならば（ステップ２１１）、そのまま媒体アクセス制御回路２０３に通す（ステップ２１２）。タイミングマーカ用フレームならば宛先アドレスを見て、他局宛のタイミングマーカ用フレームならば（ステップ２１３）廃棄する（ステップ２１４）。自局宛のタイミングマーカ用フレームならば（ステップ２１３）廃棄すると同時に位相差測定回路２１１に送信タイミングマーカ（ＲＸＴＭ）を出力する（ステップ２１５）。
【００４６】
スレーブ局２００における基準発振器２０１の基準クロック（ＲＥＦＣＬＫ）は、分周回路２０２により分周され、分周されたクロックの位相に同期した基準タイミングマーカ（ＲＥＦＴＭ）が出力される（ステップ２１６）。基準タイミングマーカ（ＲＥＦＴＥＭ）を入力されたタイミングマーカ送受信回路２０４は、現在スレーブ局２００がフレームを送信している状態ではなく、ベースバンド処理回路２０５からの搬送波感知信号（ＣＣＡ）がアイドルで、ネットワーク・アロケーション・ベクトル（ＮＡＶ）が０ならば、媒体がアイドルであると判定し（ステップ２１７）、ベースバンド処理回路２０５にタイミングマーカ用フレームを送信し（ステップ２１８）、これと同時に位相差測定回路２１０に送信タイミングマーカ（ＴＸＴＭ）を出力する（ステップ２１９）。タイミングマーカ用フレームを送信しているとき、タイミングマーカ送受信回路から出力する搬送波感知信号（ＣＣＡ）をビジーにして、媒体アクセス制御回路２０３から他のフレームが送信されないようにする（ステップ２２０）。
【００４７】
マスタ局１００のタイミングマーカ送受信回路１０４は、受信フレーム（ＲＸＤ）のヘッダをモニタする（ステップ２２１）。タイプ／サブタイプ・フィールドが通常のマネージメント・フレームやコントロール・フレームやデータ・フレームならば（ステップ２２２）、そのまま媒体アクセス制御回路１０３に通す（ステップ２２３）。タイミングマーカ用フレームならば（ステップ２２２）、宛先アドレスを見て、他局宛のタイミングマーカ用フレームならば（ステップ２２４）廃棄する（ステップ２２５）。自局あてのタイミングマーカ用フレームならば（ステップ２２４）、廃棄すると同時に位相差測定回路１１１に送信タイミングマーカ（ＲＸＴＭ）を出力する（ステップ２２６）。
【００４８】
マスタ局１００における位相差測定回路１１０の出力をＴ１、位相差測定回路１１１の出力をＴ２とする。また、スレーブ局２００における位相差測定回路２２０の出力をＴ３、位相差測定回路２１１の出力をＴ４とする。マスタ局１００の時刻同期制御部１１２は、Ｔ１及びＴ２を媒体アクセス制御回路１０３によってフレーム化して（ステップ２２７）、スレーブ局２００に送信する（ステップ２２８）。スレーブ局２００の時刻同期制御部２１２は、媒体アクセス制御部２０３によって受信したＴ１及びＴ２と、スレーブ局２００で測定したＴ３及びＴ４により、マスタ局１００の基準タイミングマーカとスレーブ局２００の基準タイミングマーカの時刻差を、
ΔＴ  ＝  （Ｔ１＋Ｔ２−Ｔ３−Ｔ４）／２
と計算し（ステップ２２９）、これが０になるように分周回路２０２を制御する（ステップ２３０）。
【００４９】
上記の詳細な動作のフローチャートを図１０から図１３に示す。
【００５０】
［第３の実施の形態］
図１４は、本発明の第３の実施の形態における時刻同期システムの構成を示す。同図に示すシステムは、マスタ局１００とスレーブ局２００から構成される。
【００５１】
マスタ局１００は、基準発振器１０１、分周回路１０２、媒体アクセス制御回路１０３、タイミングマーカ送受信回路１０４、ベースバンド処理回路１０５、変復調回路１０６、高周波送受信回路１０７、送受信切替スイッチ１０８、アンテナ１０９、位相差測定回路１１０，１１１、時刻同期制御部１１２から構成され、前述の第２の実施の形態と同様の構成である。
【００５２】
スレーブ局２００は、基準発振器２０１、分周回路２０２、媒体アクセス制御回路２０３、タイミングマーカ送受信回路２０４、ベースバンド処理回路２０５、変復調回路２０６、高周波送受信回路２０７、送受信切替スイッチ２０８、アンテナ２０９、位相差測定回路２１０，２１１、時刻同期制御回路２１２及びクロック抽出回路２１３から構成され、前述の第２の実施の形態の構成にクロック抽出回路２１３が付加された構成である。
【００５３】
図１５から図１７は、本発明の第３の実施の形態における時刻同期システムの動作のシーケンスチャートである。
【００５４】
マスタ局１００の基準発振器１０１は、当該マスタ局１００の各ブロック（タイミングマーカ送受信回路１０４、ベースバンド処理回路１０５、変復調回路１０６、高周波送受信回路１０７、分周回路１０２）に基準クロック（ＲＥＦＣＬＫ）を供給する（ステップ４０１）。媒体アクセス制御回路１０３からの送信フレーム（ＴＸＤ）は、タイミングマーカ送受信回路１０４を通って、ベースバンド処理回路１０５によって、ベースバンド信号（ＴＸＩ，ＴＸＱ）に変換され、変復調回路１０６によって中間周波信号（ＴＸＩＦ）になり、高周波送受信回路１０７によって、高周波信号（ＴＸＲＦ）になり（ステップ４０２）、送受信切替スイッチ１０８によって、アンテナ１０９に接続され、スレーブ局２００に送信される（ステップ４０３）。
【００５５】
スレーブ局２００の基準発振器２０１は、当該スレーブ局２００の各ブロック（タイミングマーカ送受信回路２０４、ベースバンド処理回路２０５、変復調回路２０６、高周波送受信回路２０７、分周回路２０２）に基準クロック（ＲＥＦＣＬＫ）を供給する。アンテナ２０９によって受信されたマスタ局１００からの高周波信号（ＲＸＲＦ）は、送受信切替スイッチ２０８によって、高周波送受信回路２０７に接続され、中間周波信号（ＲＸＩＦ）になり、変復調回路２０６によって、ベースバンド信号（ＲＸＩ，ＲＸＱ）になり、ベースバンド信号処理回路２０５によって受信フレーム（ＲＸＤ）となり、タイミングフレーム送受信回路２０４を通って、媒体アクセス制御回路２０３によって受信される（ステップ４０４）。受信クロック抽出回路２１３は、ベースバンド信号（ＲＸＩ，ＲＸＱ）から受信クロック（ＲＸＣＬＫ）を抽出する（ステップ４０５）。送信元アドレス監視回路２１４は、受信フレーム（ＲＸＤ）の送信元アドレスが、マスタ局１００のアドレスと一致したときは（ステップ４０６）、その受信フレームを受信している間は、ホールドオーヴァ制御信号（ＨＯ）をＯＦＦに（ステップ４０７）、それ以外のときは、ＯＮにする（ステップ４０８）。
【００５６】
スレーブ局２００における基準発振器２０１の構成は、前述の第１の実施の形態の図５で示したものと同様である。
【００５７】
マスタ局１００における基準発振器１０１の基準クロック（ＲＥＦＣＬＫ）は、分周回路１０２により分周され、分周されたクロックの位相に同期した基準タイミングマーカ（ＲＥＦＴＭ）が出力される（ステップ４０９）。基準タイミングマーカ（ＲＥＦＴＭ）を入力されたタイミングマーカ送受信回路１０４は、現在マスタ局１００がフレームを送信している状態ではなく（ステップ４１０、Ｙｅｓ）、ベースバンド処理回路１０５からの搬送波感知信号（ＣＣＡ）がアイドルで（ステップ４１１、Ｙｅｓ）、ネットワーク・アロケーション・ベクトル（ＮＡＶ）が０ならば（ステップ４１２、Ｙｅｓ）、ベースバンド処理回路１０５にタイミングマーカ用フレームを送信し、これと同時に位相差測定回路１１０に送信タイミングマーカ（ＴＸＴＭ）を出力する（ステップ４１３）。タイミングマーカ用フレームを送信しているとき、タイミングマーカ送受信回路１０４から出力する搬送波感知信号（ＣＣＡ）をビジーにして、媒体アクセス制御回路１０３から他のフレームが送信されないようにする（ステップ４１４）。
【００５８】
スレーブ局２００のタイミングマーカ送受信回路２０４は、受信フレーム（ＲＸＤ）のヘッダをモニタする（ステップ４１５）。タイプ／サブタイプ・フィールドが通常のマネージネント・フレームやコントロール・フレームやデータ・フレームならば（ステップ４１６）、そのまま媒体アクセス制御回路２０３に通す（ステップ４１７）。タイミングマーカ用フレームならば（ステップ４１６）、宛先アドレスを見て、他局宛のタイミングマーカ用フレームならば（ステップ４１８）、廃棄する（ステップ４１７）。自局宛のタイミングマーカ用フレームならば（ステップ４１８）廃棄すると同時に、位相差測定回路２１１に送信タイミングマーカ（ＲＸＴＭ）を出力する（ステップ４２０）。
【００５９】
スレーブ局２００における基準発振器２０１の基準クロック（ＲＥＦＣＬＫ）は、分周回路２０２により分周され、分周されたクロックの位相に同期した基準タイミングマーカ（ＲＥＦＴＭ）が出力される（ステップ４２１）。基準タイミングマーカ（ＲＥＦＴＭ）を入力されたタイミングマーカ送受信回路２０４は、現在スレーブ局２００がフレームを送信している状態ではなく（ステップ４２２、Ｎｏ）、ベースバンド処理回路２０５からの搬送波感知信号（ＣＣＡ）がアイドルで、ネットワーク・アロケーション・ベクトル（ＮＡＶ）が０ならば（ステップ４２４、Ｙｅｓ）、ベースバンド処理回路２０５にタイミングマーカ用フレームを送信し、これと同時に位相差測定回路２１０に送信タイミングマーカ（ＴＸＴＭ）を出力する（ステップ４２５）。タイミングマーカ用フレームを送信しているとき、タイミングマーカ送受信回路２０４から出力する搬送波感知信号（ＣＣＡ）をビジーにして、媒体アクセス制御回路２０３から他のフレームが送信されないようにする（ステップ４２６）。
【００６０】
マスタ局１００のタイミングマーカ送受信回路１０４は、受信フレーム（ＲＸＤ）のヘッダをモニタする（ステップ４２７）。タイプ／サブタイプ・フィールドが通常のマネージネント・フレームやコントロール・フレームやデータ・フレームならば（ステップ４２８）、そのまま媒体アクセス制御回路１０３に通す（ステップ４２９）。タイミングマーカ用フレームならば（ステップ４２８）、宛先アドレスを見て、他局宛のタイミングマーカ用フレームならば廃棄する（ステップ４３１）。自局宛のタイミングマーカ用フレームならば（ステップ４３０）、廃棄すると同時に位相差測定回路１１１に送信タイミングマーカ（ＲＸＴＭ）を出力する（ステップ４３２）。
【００６１】
マスタ局１００における位相差測定回路１１０の出力をＴ１、位相差測定回路１１１の出力をＴ２とする。また、スレーブ局２００における位相差測定回路２１０の出力を、Ｔ３、位相差測定回路２１１の出力をＴ４とする。マスタ局１００の時刻同期制御部１１２は、Ｔ１及びＴ２を媒体アクセス制御回路１０３によってフレーム化してフレーブ局２００に送信する（ステップ４３３）。スレーブ局２００の時刻同期制御部２１２は、媒体アクセス制御回路２０３によって受信したＴ１及びＴ２と、スレーブ局２００で測定したＴ３及びＴ４により、マスタ局１００の基準タイミングマーカとスレーブ局２００の基準タイミングマーカの時刻差を、
ΔＴ＝（Ｔ１＋Ｔ２−Ｔ３−Ｔ４）／２
と計算し（ステップ４３５）、これが、０になるように分周回路２０２を制御する（ステップ４３６）。
【００６２】
また、本実施の形態における詳細な動作は、前述の第１の実施の形態の図４で示したフローチャートと、第２の実施の形態の図１０から図１３に示したフローチャートを合わせたものとなる。
【００６３】
なお、本発明は、上記の実施の形態に限定されることなく、特許請求の範囲内において、種々変更・応用が可能である。
【００６４】
【発明の効果】
上述のように、本発明によれば、無線通信システムの物理層及びデータリンク層における遅延を直接測定できるので、高い同期精度が得られる。
【００６５】
【図面の簡単な説明】
【図１】本発明の原理構成図である。
【図２】本発明の原理を説明するための図である。
【図３】本発明の第１の実施の形態における周波数同期システムの構成図である。
【図４】本発明の第１の実施の形態における周波数同期システムの動作の概要を示すフローチャートである。
【図５】本発明の第１の実施の形態におけるスレーブ局における基準発振器の構成例である。
【図６】本発明の第２の実施の形態における時刻同期システムの構成図である。
【図７】本発明の第２の実施の形態における時刻同期システムの動作のシーケンスチャート（その１）である。
【図８】本発明の第２の実施の形態における時刻同期システムの動作のシーケンスチャート（その２）である。
【図９】本発明の第２の実施の形態における時刻同期システムの動作のシーケンスチャート（その３）である。
【図１０】本発明の第２の実施の形態における時刻同期システムの動作のフローチャート（その１）である。
【図１１】本発明の第２の実施の形態における時刻同期システムの動作のフローチャート（その２）である。
【図１２】本発明の第２の実施の形態における時刻同期システムの動作のフローチャート（その３）である。
【図１３】本発明の第２の実施の形態における時刻同期システムの動作のフローチャート（その４）である。
【図１４】本発明の第３の実施の形態における時刻同期システムの構成図である。
【図１５】本発明の第３の実施の形態における時刻同期システムの動作のシーケンスチャート（その１）である。
【図１６】本発明の第３の実施の形態における時刻同期システムの動作のシーケンスチャート（その２）である。
【図１７】本発明の第３の実施の形態における時刻同期システムの動作のシーケンスチャート（その３）である。
【符号の説明】
１００  マスタ局
１０１，２０１  基準発振器
１０２，２０２  分周回路
１０３，２０３  媒体アクセス制御回路
１０４，２０４  タイミングマーカ送受信回路
１０５，２０５  ベースバンド処理回路
１０６，２０６  変復調回路
１０７，２０７  高周波送受信回路
１０８，２０８  送受信切替スイッチ
１０９，２０９  アンテナ
１１０，２１０  位相差測定回路
１１１，２１１  位相差測定回路
１１２，２１２  時刻同期制御部
２１３  クロック抽出回路
２１４  送信元アドレス監視回路
２１５  スイッチ
２１６  入力断検出回路
２１７  位相比較回路
２１８  ループフィルタ
２１９  ＡＤ変換器
２２０  メモリ
２２１  ＤＡ変換器
２２２  切替スイッチ
２２３  電圧制御発振器
２２４  分周回路
２２５  ＯＲ回路
ＲＥＦＣＬＫ    基準クロック
ＲＥＦＴＭ    基準タイミングマーカ
ＴＸＤ        送信フレーム
ＲＸＤ          受信フレーム
ＣＣＡ          搬送波感知信号
ＴＲＳＷ      送受信切替信号
ＴＸＩ        ベースバンド信号
ＴＸＱ        ベースバンド信号
ＲＸＩ        ベースバンド信号
ＲＸＱ        ベースバンド信号
ＴＸＩＦ        中間周波信号
ＲＸＩＦ        中間周波信号
ＴＸＲＦ        高周波信号
ＲＸＲＦ        高周波信号
ＨＯ          ホールドオーヴァ制御信号
ＲＸＣＬＫ          受信クロック
【図１】
2004320656.tif 000003
【図２】
2004320656.tif 000004
【図３】
2004320656.tif 000005
【図４】
2004320656.tif 000006
【図５】
2004320656.tif 000007
【図６】
2004320656.tif 000008
【図７】
2004320656.tif 000009
【図８】
2004320656.tif 000010
【図９】
2004320656.tif 000011
【図１０】
2004320656.tif 000012
【図１１】
2004320656.tif 000013
【図１２】
2004320656.tif 000014
【図１３】
2004320656.tif 000015
【図１４】
2004320656.tif 000016
【図１５】
2004320656.tif 000017
【図１６】
2004320656.tif 000018
【図１７】
2004320656.tif 000019